(57)【要約】【課題】  簡易な表示器であっても、アサイナブル操作子とパラメータとの対応関係をユーザに対してわかりやすく提示することができる電子音楽装置の提供。【解決手段】  表示器の周囲に配設された複数のパネル操作子のうちパラメータとの対応付け関係を変更可能なアサイナブル操作子が操作されることに応じて、対応付けられているパラメータに関する情報をパラメータ設定画面上に該画面とは別のポップアップ画面として所定時間だけ一時的に表示する。すなわち、パラメータに関する情報が欲しいときにのみ、対応付けられたパラメータに関する情報を操作されたアサイナブル操作子の近傍においてポップアップ画面という明確かつわかりやすい表示形態によりユーザに対して提示することから、特に簡易な表示器を用いた場合であっても画面が見づらくなることがなく、またユーザはポップアップ画面を参照しながら所望のパラメータを適切に設定することが容易にできる。【選択図】        図２
2010233005.tif 000002
【特許請求の範囲】
【請求項１】
予め設定済みのパラメータに従って楽音信号を制御する電子音楽装置であって、
表示器と、
前記表示器の近傍に配設された複数のパネル操作子と、
前記パネル操作子と該操作子で設定可能なパラメータとの対応付け関係を記憶する記憶手段と、
前記パネル操作子のうち前記パラメータとの対応付け関係を変更できない固定操作子に関し、当該固定操作子で設定可能なパラメータに関する情報を提示したパラメータ設定画面を前記表示器に常時表示する第１の表示制御手段と、
前記パネル操作子のうち前記パラメータとの対応付け関係を変更可能なアサイナブル操作子に関し、該アサイナブル操作子が操作されることに応じて、前記操作されたアサイナブル操作子に対応付けられているパラメータに関する情報を、前記表示されたパラメータ設定画面とは別のポップアップ画面として前記操作されたアサイナブル操作子に近い前記パラメータ設定画面内の所定の表示位置に所定時間だけ一時的に表示する第２の表示制御手段と
を具えた電子音楽装置。
【請求項２】
前記第２の表示制御手段は、複数のアサイナブル操作子が操作されることに応じて複数のポップアップ画面を前記パラメータ設定画面内の所定の表示位置に表示する際に、互いのポップアップ画面の一部が重なって表示されないように、少なくとも一方のポップアップ画面の表示位置を前記所定の表示位置から所定の第２の表示位置にずらして表示することを特徴とする請求項１に記載の電子音楽装置。
【請求項３】
前記第２の表示制御手段は、アサイナブル操作子が操作されることに応じて前記所定の表示位置に表示するポップアップ画面の画面大きさを、該画面内においてユーザに対し提示する前記操作されたアサイナブル操作子に対応付けられているパラメータに関する情報の提示量に従い決定することを特徴とする請求項１又は２に記載の電子音楽装置。
【発明の詳細な説明】
【技術分野】
【０００１】
この発明は、本体パネル上に配置された複数の物理的操作子それぞれの配置位置にあわせて、各操作子に設定可能に対応付けられたパラメータに関する情報を表示器上に表示する電子音楽装置に関する。特に、表示領域が狭く表示機能に制限ある簡易な表示器であっても、各操作子とパラメータとの対応関係をユーザに対してわかりやすく提示する技術に関する。
【背景技術】
【０００２】
従来から、例えばＬＣＤ（液晶パネル）等からなる表示器の周囲の本体パネル上に配置された多数の物理的操作子（所謂パネル操作子）それぞれの配置位置にあわせて、各操作子を操作することに応じて設定可能に対応付けられている楽音信号を制御するための各種パラメータに関する情報（例えば、パラメータ名やパラメータ値などのパラメータを特定できるもの）を前記表示器上に表示することで、ユーザが前記各操作子と該操作子の操作に応じて設定可能な各パラメータとの対応関係を把握し易くした電子楽器やミキシング装置（ミキサ）あるいはシーケンサなどの電子音楽装置が知られている。こうした装置の一例を挙げると、下記に示す特許文献１又は非特許文献１に記載の装置がある。なお、本明細書において、楽音という場合、音楽的な音に限るものではなく音声あるいはその他任意の音を含んでいてもよい意味あいで用いるものとする。
【特許文献１】特開平3−266893号公報
【非特許文献１】“01V96 Version2  取扱説明書”，2005年，ヤマハ株式会社，インターネット〈http://www2.yamaha.co.jp/manual/pdf/pa/japan/mixers/01V96V2J1.pdf〉
【発明の開示】
【発明が解決しようとする課題】
【０００３】
ところで、小型の電子音楽装置、例えば持ち運びし易い携帯型の電子楽器（所謂ポータブルキーボード）やミキサなどでは、小型／安価であるなどの点から表示範囲が狭く単純な表示しかできないといった表示機能に制限ある簡易な表示器が用いられている。こうした簡易な表示器を用いた場合には、複数のパラメータを同時に表示するにはその狭い表示範囲に詰め込むようにして表示しなければならず、そうすると表示器の周囲に配置された各操作子の配置位置に各パラメータの表示位置をあわせて表示するのが非常に難しくなる。仮に、表示器上に各操作子の配置位置にあわせて多数のパラメータを表示することができたとしても、ユーザは実際に操作子を操作してどのパラメータが設定されるかを表示器上の表示を目視することにより各操作子とパラメータとの対応関係を確認するしかないが、表示器上に表示された多数のパラメータの中からどのパラメータが操作子の操作に応じて設定されたものかをすばやく目視で確認するのは非常に困難である。
【０００４】
そこで、従来の装置では、パネル操作子のうちメーカ等によって予めパラメータが固定的に対応付けられている操作子（固定操作子と呼ぶ）に関しては表示器上に該パラメータに関する情報を固定表示する一方で、ユーザが適宜にパラメータを対応付ける（アサインするとも言う）ことができる操作子（所謂アサイナブル操作子）に関しては、パラメータが対応付けられたとしても表示器上に該パラメータに関する情報を表示するようにはしていない。そのため、ユーザはせいぜいメモ等にアサイナブル操作子と自身でアサインした各種パラメータとの対応関係等を控えて忘れないようにしておく必要がある。しかし、アサイナブル操作子にパラメータをアサインしたにも関わらず表示器上にパラメータに関する情報を表示しないと、各操作子とパラメータとの対応関係をユーザが確認するすべがなく非常に不便である。すなわち、複数あるアサイナブル操作子のうちいずれに対して既にパラメータをアサイン済みであるのか否か、アサイン済みであるならば何のパラメータがアサインされかつ現在のパラメータ値はどのように設定されているかなどのパラメータに関する情報がユーザにはわかり難くユーザが誤った操作を行いやすい、という問題点が生じ得る。
【０００５】
本発明は上述の点に鑑みてなされたもので、表示器の周囲に配置された複数の操作子に対応付けられたパラメータに関する情報を前記表示器上に表示する場合に、複数の操作子とパラメータとの対応関係を必要に応じて明確かつわかりやすくユーザに対して提示することができるようにした電子音楽装置を提供することを目的とする。
【課題を解決するための手段】
【０００６】
本発明に係る電子音楽装置は、予め設定済みのパラメータに従って楽音信号を制御する電子音楽装置であって、表示器と、前記表示器の近傍に配設された複数のパネル操作子と、前記パネル操作子と該操作子で設定可能なパラメータとの対応付け関係を記憶する記憶手段と、前記パネル操作子のうち前記パラメータとの対応付け関係を変更できない固定操作子に関し、当該固定操作子で設定可能なパラメータに関する情報を提示したパラメータ設定画面を前記表示器に常時表示する第１の表示制御手段と、前記パネル操作子のうち前記パラメータとの対応付け関係を変更可能なアサイナブル操作子に関し、該アサイナブル操作子が操作されることに応じて、前記操作されたアサイナブル操作子に対応付けられているパラメータに関する情報を、前記表示されたパラメータ設定画面とは別のポップアップ画面として前記操作されたアサイナブル操作子に近い前記パラメータ設定画面内の所定の表示位置に所定時間だけ一時的に表示する第２の表示制御手段とを具える。
【０００７】
本発明によると、表示器の近傍に配設された複数のパネル操作子のうちパラメータとの対応付け関係を変更できない固定操作子に関しては、当該固定操作子で設定可能なパラメータに関する情報をパラメータ設定画面に常時表示することによりユーザに提示する。その一方、前記パネル操作子のうちパラメータとの対応付け関係を変更可能なアサイナブル操作子に関しては、該アサイナブル操作子が操作されることに応じて、操作されたアサイナブル操作子に対応付けられているパラメータに関する情報を、前記表示されたパラメータ設定画面とは別のポップアップ画面として所定時間だけ一時的に表示することによりユーザに提示する。その際には、操作されたアサイナブル操作子に近いパラメータ設定画面内の所定の表示位置にポップアップ画面を表示する。すなわち、アサイナブル操作子を操作するといったパラメータに関する情報が欲しいときにのみ、該操作子に対応付けられたパラメータとの対応関係をポップアップ画面により明確かつわかりやすくユーザに対して提示する。これにより、特に表示領域が狭く表示機能に制限ある簡易な表示器を用いた場合であっても画面が見づらくならず、そしてユーザはポップアップ画面を参照しながら操作子を操作することができることから、所望のパラメータを適切に設定することができるようになる。
【発明の効果】
【０００８】
この発明によれば、表示器の周囲に配置された各操作子と設定対象の各種パラメータとの対応関係を、当該操作子が操作されたことに応じて明確かつわかりやすくユーザに対して提示することから、特に表示領域が狭く表示機能に制限ある簡易な表示器を用いた場合であっても、ユーザは必要に応じて表示を確認しながらパラメータの設定を行うことが何らの不都合もなくできるようになる、という効果を得る。
【発明を実施するための最良の形態】
【０００９】
以下、この発明の実施の形態を添付図面に従って詳細に説明する。
【００１０】
図１は、この発明に係る電子音楽装置の全体構成を示したハード構成ブロック図である。本実施例に示す電子音楽装置は例えば電子楽器やミキシング装置（ミキサ）あるいはシーケンサなどであって、マイクロプロセッサユニット（ＣＰＵ）１、リードオンリメモリ（ＲＯＭ）２、ランダムアクセスメモリ（ＲＡＭ）３からなるマイクロコンピュータによって制御される。ＣＰＵ１は、この電子音楽装置全体の動作を制御するものである。このＣＰＵ１に対して、通信バス（データ及びアドレスバス）１Ｄを介してＲＯＭ２、ＲＡＭ３、検出回路４、表示回路５、通信インタフェース（Ｉ／Ｆ）６、音声インタフェース（Ｉ／Ｆ）７、記憶装置８がそれぞれ接続されている。
【００１１】
ＲＯＭ２は、ＣＰＵ１により実行される各種プログラムや各種データを格納する。ＲＡＭ３は、ＣＰＵ１が所定のプログラムを実行する際に発生する各種データを一時的に記憶するワーキングメモリとして、あるいは現在実行中のプログラムやそれに関連するデータを記憶するメモリ等として使用される。ＲＡＭ３の所定のアドレス領域がそれぞれの機能に割り当てられ、レジスタやフラグ、テーブル、メモリなどとして利用される。上記ＲＯＭ２やＲＡＭ３に記憶されるデータの具体例を挙げると、例えばメーカ等により予め所定のパラメータが既にアサインされている固定操作子に関し、個々の固定操作子毎にアサインされているパラメータや、パラメータ設定画面の全体概要を定義した表示データ、各固定操作子の形状を模した操作子表示やパラメータ情報等のアサインされているパラメータとの対応関係を提示するためのパラメータ設定画面の一部を構成する部分的な表示用の部品（後述する図２参照）等を定義した部分表示データなどがある。
【００１２】
操作子４Ａは、表示器５Ａの周囲（例えば後述する図２に示すように表示器５Ａの下側及び／又は右側など）の本体パネル上に設置されている汎用の物理的操作子（パネル操作子）であって、楽音制御パラメータやミキシングパラメータなどの各種パラメータ設定のために使用される（上述した固定操作子あるいはアサイナブル操作子である）。これらのパネル操作子は、ユーザによってほんの少しでも動かされたことを検知することができる検知手段（図示せず）を具えている。なお、操作子４Ａはパネル操作子以外にも、表示器５Ａに表示する画面の切り替え（例えば音色用やエフェクト用の各パラメータ設定画面など）を行うよう指示する画面表示切り替えスイッチなどのスイッチ類、また音高、音色、効果等を選択・設定・制御するために用いる数値データ入力用のテンキーや文字データ入力用のキーボードなどの各種操作子を含んでいてよい。さらには、ユーザ操作に応じて演奏情報を発生する例えば鍵盤等の演奏操作子を含んでいてもよい。検出回路４は、上記操作子４Ａの操作状態を検出し、その操作状態に応じたスイッチ情報をデータ及びアドレスバス１Ｄを介してＣＰＵ１に出力する。
【００１３】
表示回路５は例えば液晶表示パネル（ＬＣＤ）等から構成された、表示範囲が狭く一度に多くの情報を表示することができず一度に少しの情報しか表示することができないといった表示機能に制限のある簡易な表示器５Ａに、各パネル操作子にアサインされた個々のパラメータに関する情報や、設定された各パラメータ値に基づき変化しうる例えばミキシングのための入力信号やミキシング後の出力信号などの各種情報を含むパラメータ設定画面（後述する図２参照）を表示する。詳しくは後述するが、この発明では、パネル操作子に対してパラメータがアサインされている場合に該パネル操作子が操作されることに応じて、表示器５Ａにおいて各操作子の近傍に設けられた所定の表示位置にアサインされているパラメータに関する情報をポップアップ画面として一時的に表示するようにしている。ユーザは該表示器５Ａに表示されるポップアップ画面を参照しながら、パネル操作子を操作することによって適宜にパラメータの設定を行うことができるようになっている。
【００１４】
通信インタフェース（Ｉ／Ｆ）６は、当該装置と外部機器６Ａ（例えば、他の電子楽器やミキサあるいはシーケンサなど）との間で入力／出力される波形信号やMIDIデータなどの楽音信号、さらには制御プログラムなどの各種情報を送受信するためのインタフェースである。音声インタフェース（Ｉ／Ｆ）７は、当該装置と外部機器７Ａ（例えば、マイクやオーディオ機器など）との間で入力／出力される音声データ（オーディオデータ）などの楽音信号を送受信するためのインタフェースである。この通信インタフェース６や音声インタフェース（Ｉ／Ｆ）７は、例えばMIDIインタフェース，ＬＡＮ，インターネット，電話回線等であってよく、また有線あるいは無線のものいずれかでなく双方を具えていてよい。
【００１５】
記憶装置８は、各種データやＣＰＵ１が実行する各種制御プログラム等を記憶する。具体的には、個々のアサイナブル操作子にアサインされているパラメータ、現在設定されているパラメータ値、設定情報などを記憶する。設定情報は、アサイナブル操作子がどのパラメータにもアサインされていない場合に、表示器５Ａにアサインされていない旨をユーザに提示する際の表示態様を定義するものであって、ユーザに提示する際の表示態様として例えば何も表示しない「非表示」やアサインされていない旨を明確に提示する「No Assign」表示などがある。こうした設定情報はいずれかをユーザが任意に設定可能である。なお、上述したＲＯＭ２に制御プログラムが記憶されていない場合、この記憶装置８（例えばハードディスク）に制御プログラムを記憶させておき、それをＲＡＭ３に読み込むことにより、ＲＯＭ２に制御プログラムを記憶している場合と同様の動作をＣＰＵ１にさせることができる。このようにすると、制御プログラムの追加やバージョンアップ等が容易に行える。なお、記憶装置８はハードディスク（HD）に限られず、フレキシブルディスク（FD）、コンパクトディスク（CD‐ROM・CD‐RAM）、光磁気ディスク（MO）、あるいはDVD（Digital Versatile Disk）等の様々な形態の記憶媒体を利用する記憶装置であればどのようなものであってもよい。あるいは、フラッシュメモリなどの半導体メモリであってもよい。
【００１６】
なお、本発明に係る電子音楽装置は電子楽器やミキサあるいはシーケンサの形態に限らず、カラオケ装置やゲーム装置、携帯電話やPDA等の携帯型通信端末など、表示範囲が狭く表示機能に制限のある簡易な表示器を具えた機器であればどのような形態の装置・機器に適用してもよい。また、パーソナルコンピュータなどの表示範囲が大きく高精細な表示が可能な表示器を具えたものであっても、パラメータ設定のために前記表示器５Ａ上に開かれたパラメータ設定画面の画面サイズが小さいような場合に適用するようにしてもよい。
【００１７】
図１に示した電子音楽装置において、ユーザは表示器５Ａ上に表示したパラメータ設定画面を参照しながら表示器５Ａの周囲に配置されているパネル操作子を適宜に操作することで、各パネル操作子に対応付けられているパラメータの設定を行うことができるようになっている。そこで、ユーザのパラメータ設定を補助する上記パラメータ設定画面の一実施例を図２に示す。図２は、表示器５Ａ上に表示するパラメータ設定画面の一実施例を示す概略図である。ここではミキシングパラメータ設定時に利用されるパラメータ設定画面を例に示す。また、以下では、表示器５Ａの画面下側にスライダ又はノブからなる８個のパネル操作子Ｃを、表示器５Ａの画面右側にオン／オフスイッチからなる５個のパネル操作子Ｄを配置したパラメータ設定画面を例に説明する。なお、説明の都合上、複数のパネル操作子Ｃ,Ｄにたいしてそれぞれ個別に１〜８及びａ〜ｅまでの記号を便宜的に付して区別できるようにしてある。
【００１８】
パラメータ設定画面はボリューム／音色用、フィルタ用、チューニング用、エフェクト用、ＥＱ用、ＣＭＰ用、ライン出力用など楽音信号を制御するための複数のパラメータ種類別にそれぞれ専用の画面が予め用意されており（図中においてはこれらの設定可能なパラメータ種類別の画面毎に異なるタブＴが付されている）、例えば画面表示切り替えスイッチの操作に応じて任意の画面への切り替えが行われる。
【００１９】
図２に示すように、パラメータ種類としてミキシングパラメータの１つである「CMP」パラメータが選択され、「CMP」パラメータ設定用の画面に切り替えられると、当該画面下方及び画面右の表示領域のうち、画面下側又は画面右側に配置されているパネル操作子Ｃ，Ｄのうちメーカ等により予めパラメータが対応付けられている固定操作子（ノブ３,４,６及びオン／オフスイッチａ,ｄ）については従来と同様にして、パラメータ情報Ｈを表示器５Ａにおいて各操作子に近い所定位置（この例では、画面外周沿いの各操作子の近傍）に常時表示する。パラメータ情報Ｈは、例えば固定操作子の形状（図中ではノブ形状）を模した操作子表示、パラメータ名（図中におけるTH,RATIO,OUTの各表示）、現在のパラメータ値（図中では全て100）、あるいは設定状態（図中における「ON/OFF」表示、「SAVE」表示）等の各パラメータに関する情報を１乃至複数組み合わせて提示するための部分的な表示用の部品（画面）であって、提示する情報の組み合わせはパラメータ毎に異なっている。なお、前記操作子表示は、パネル操作子の操作にあわせて例えば操作子の向き等が同じ向きを指し示すように適宜に表示更新される（ノブ６に対応する操作子表示参照）。また、パラメータ設定画面は、パラメータにより影響を受ける（関連する）入力信号や出力信号（例えばMIDIデータや音声データ）あるいはゲイン等の上記パラメータ情報Ｈ以外の他の情報Ｍを表示してよい。
【００２０】
一方、上記固定操作子以外のパネル操作子Ｃ,Ｄはアサイナブル操作子であって、このアサイナブル操作子のうちユーザによるパラメータへのアサインがなされていない操作子については（例えばスライダ２,オン／オフスイッチｅ）、該操作子が操作されたか否かに関わらず何も表示しない。あるいは、該操作子が操作された場合にのみ、アサインされていない旨を明確に提示するために「No Assign」と一時的に表示するとよい。
【００２１】
アサイナブル操作子のうちユーザによるパラメータへのアサインがなされている操作子については（例えばスライダ１,７,８やノブ５、オン／オフスイッチｂ,ｃ）、表示器５Ａにおいて各操作子に近い所定の初期表示位置（画面外周沿いの各操作子の近傍）にパラメータ情報Ｈを表示する。ただし、パラメータ情報Ｈは上記固定操作子に対応する表示のように常時表示されるわけではなく、アサインされたパネル操作子Ｃ,Ｄがほんの少しでも動かされることに応じて表示中の画面とは別のポップアップ画面として自動的に表示されるようになっている。この際に、ポップアップ画面は固定操作子に関するパラメータ情報Ｈの表示に重なって表示されてよいことは言うまでもない（スライダ７用画面参照）。そして、このパラメータ情報Ｈを提示するためのポップアップ画面は、当該操作子の操作開始から所定時間が経過すると自動的に閉じられる。つまり、アサイナブル操作子についてはパラメータ情報Ｈが一時的に表示される。図２に示す例では、スライダ１,７,８及びノブ５にそれぞれアサインされたパラメータに関する各パラメータ情報Ｈがスライダ１用画面，スライダ７用画面，スライダ８用画面, ノブ５用画面として表示され（ただし、後述するようにスライダ８用画面については初期表示位置から表意位置をずらしている）、またオン／オフスイッチｂ，ｃにそれぞれアサインされたパラメータに関する各パラメータ情報Ｈが画面ｂ，画面ｃとして表示されている。
【００２２】
アサイナブル操作子に関し上記パラメータ情報Ｈをユーザに対して提示するポップアップ画面の表示大きさ（画面サイズ）は適宜の大きさでよいが、特に表示器５Ａの表示範囲が狭い場合などにおいては、少なくともパラメータ情報Ｈを明確にユーザに提示できる適宜の大きさで表示するとよい。また、アサイナブル操作子にアサインされたパラメータ種類によって、ポップアップ画面の表示大きさは異なっていてよい。図示の例では、仮にスライダ１用画面の画面大きさを基準とすると、スライダ７用画面は横方向に拡がった大きさに、スライダ８用画面は縦横方向共に拡がった大きさに、ノブ５用画面は横方向に狭いが縦方向に拡がった大きさになっている。このようにポップアップ画面の表示大きさを異ならせる場合には、該画面内においてユーザに対し提示するパラメータ情報Ｈの情報量（例えば、アサインされたパラメータ種類によって異なるパラメータ名の文字数やパラメータ値の桁数など）によって自動的に決定するとよい。勿論、アサインされたパラメータ種類に関係なくポップアップ画面の表示大きさは全て同一であってもよい。ユーザがポップアップ画面の表示大きさを予め適宜の大きさに指定できてもよい。
【００２３】
なお、ポップアップ画面により提示するパラメータ情報Ｈとしてはパラメータ名やパラメータ値に限らず他の情報であってもよく（例えば、操作子を模した操作子表示など）、ユーザが任意に表示したい情報を選択できてよい。また、パラメータ情報Ｈとして提示する情報に予め優先順位を付しておき、ユーザが任意に指定したポップアップ画面の表示大きさに応じて優先順位の高い情報から該画面内において表示しうる範囲まで順番に提示するようにしてもよい。この場合、指定した画面の表示大きさによって提示されるパラメータに関する情報の量が増減する。
【００２４】
ところで、ポップアップ画面の表示大きさによっては、隣り合うアサイナブル操作子がほぼ同時あるいは間を空けずに操作されることによって、それぞれに対応したポップアップ画面が重なって表示されてしまい、ユーザが見がたくなってしまうことが起こりうる。そこで、隣り合うアサイナブル操作子がほぼ同時あるいは間を空けずに操作された場合には、互いのポップアップ画面が重なって表示されることがないようにどちらか一方の画面を所定の第１位置（初期表示位置）から所定の第２位置にずらして表示する。図示の例では、スライダ７とスライダ８とがほぼ同時に操作された場合に、各々の操作子に対応するスライダ７用画面とスライダ８用画面のうち、スライダ８用画面を初期表示位置である各操作子に近い所定の第１位置（画面の外周沿いの各操作子の近傍）からスライダ７用画面と重ならない図示のような所定の第２位置にずらして表示する。
【００２５】
なお、アサイナブル操作子が操作されたことを検知する動作態様としては、単純にスライダのつまみが上下動された場合やノブが回転された場合、オン／オフスイッチが押下された場合など適宜の動作であってよい。ただし、ほんの少しでもスライダのつまみが上下動された場合やノブが回転された場合にポップアップ画面を表示するようにすると、前記動作にあわせてパラメータ値が変更されてしまうので単に現在のパラメータ値などを確認したいがためにポップアップ画面を表示したいような場合には都合が悪い。これを避けるためには、スライダのつまみやノブをプッシュオンしてから上下動したり回転させたりといった操作可能なもので構成しておき、上下動や回転等の動作でなくプッシュオン操作に応じてポップアップ画面を一時的に表示するとよい。
【００２６】
上述したように、この実施例に示す電子楽器においては、表示器５Ａの周囲（図２では画面下側及び右側）に設置されている各パネル操作子Ｃ,Ｄのうちアサイナブル操作子の操作に応じて画面上に表示されるパラメータ情報Ｈ（ポップアップ画面）を参照しながら、ユーザは所望のパラメータの設定を適切に行うことができる。このようなアサイナブル操作子の操作に応じて、表示器５Ａに表示されたパラメータ設定画面の表示を更新する「パラメータ情報表示処理」は、ＣＰＵ１が所定のプログラム（ソフトウエア）を実行することにより実施される。そこで、上記「パラメータ情報表示処理」について図３を用いて説明する。
【００２７】
図３は、「パラメータ情報表示処理」の一実施例を示したフローチャートである。ステップＳ１は、操作されたアサイナブル操作子にパラメータがアサインされているか否かを判定する。操作されたアサイナブル操作子にパラメータがアサインされていると判定した場合には（ステップＳ１のＹＥＳ）、アサインされているパラメータに関しそのパラメータ名や以前に設定済みのパラメータ値をＲＡＭ３や記憶装置８等から取得する（ステップＳ２）。ステップＳ３は、取得したパラメータ名やパラメータ値に基づきＲＯＭ２等に記憶されている部分表示データに従ってパラメータ情報Ｈを提示するためのポップアップ画面を作成し、該作成したポップアップ画面をパラメータ設定画面上の所定位置に表示する。この際には、表示位置の調整等が行われることは言うまでもない。その後、ステップＳ４へ進む。
【００２８】
一方、ステップＳ１において、操作されたアサイナブル操作子にパラメータがアサインされていないと判定した場合には（ステップＳ１のＮＯ）、設定情報を記憶装置８から取得する（ステップＳ５）。そして、取得した設定情報においてユーザに提示する際の表示態様として「非表示」又は「No Assign」表示のどちらが設定されているかを判定する（ステップＳ６）。設定情報において表示態様が「非表示」に設定されていると判定した場合には（ステップＳ６の「非表示」）、当該処理を終了する。設定情報において表示態様が「No Assign」表示に設定されていると判定した場合には（ステップＳ６の「No Assign」表示）、画面上に「No Assign」と表示する（ステップＳ７）。その後、ステップＳ４へ進む。
【００２９】
ステップＳ４は、上記ステップＳ３で表示したポップアップ画面が当該アサイナブル操作子の操作開始から所定時間表示されたか否かを判定する。所定時間表示されていないと判定した場合には（ステップＳ４のＮＯ）、本ステップＳ４の処理を繰り返し行う。この場合、画面上にポップアップ画面の表示を続ける。一方、所定時間表示したと判定した場合には（ステップＳ４のＹＥＳ）、表示したポップアップ画面の表示を解除する（ステップＳ８）。すなわち、ポップアップ画面の表示を終了する。このようにして、アサイナブル操作子に対してパラメータがアサインされている場合には、該当操作子がほんの少しでも操作されることに応じて、アサインされたパラメータに関するパラメータ情報Ｈを表示器５Ａ上の所定位置にポップアップ画面として一時的に表示する。
【００３０】
以上のようにして、表示器の周囲に配設された複数のパネル操作子のうちパラメータとの対応付け関係を変更可能なアサイナブル操作子に関し、ユーザによりアサイナブル操作子が操作されることに応じて、該操作されたアサイナブル操作子に対応付けられているパラメータに関する情報を、表示中のパラメータ設定画面上に別のポップアップ画面として所定時間だけ一時的に表示することによりユーザに対して提示する。すなわち、アサイナブル操作子を操作するといったパラメータに関する情報が欲しいときにのみ、対応付けられたパラメータに関する情報を操作されたアサイナブル操作子の近傍においてポップアップ画面という明確かつわかりやすい表示形態によりユーザに対して提示するようにした。これにより、特に表示領域が狭く表示機能に制限ある簡易な表示器を用いた場合であっても、同時に多くのパラメータに関する情報が画面上に表示されることがないので画面が見づらくなることがなく、またユーザは必要なときにのみ表示されるポップアップ画面を参照しながら操作子を操作することができるので所望のパラメータを適切に設定することが容易にできる。
【００３１】
なお、上述したように、パラメータ設定画面は音色用、エフェクト用などパラメータ種類毎に多数あってよいが、本発明を適用するにあたって、各画面毎において各々パネル操作子に異なるパラメータを任意にアサインしてもよいし、あるいは個々のパネル操作子にアサインしたパラメータはどの画面でも共通としてもよい（例えば、スライダ１はボリュームパラメータで共通など）。ただし、ある画面においてはアサイナブル操作子であるが、他のある特定画面ではメーカ側で予めパラメータが対応付けられている固定操作子であるといったように画面によって機能が変わるパネル操作子については、メーカ側で対応付けてあるパラメータがユーザによりアサインされたパラメータに優先する。例えば、ユーザがアサイナブル操作子であるスライダ1に対して各画面に共通のパラメータとの認識でボリュームを対応付けた場合であっても、他のある特定画面においてスライダ１がメーカによりボリューム以外のパラメータが対応付けられた固定操作子である場合には、前記ボリューム以外のパラメータに関する情報が表示される。
【図面の簡単な説明】
【００３２】
【図１】この発明に係る電子音楽装置の全体構成を示したハード構成ブロック図である。
【図２】表示器上に表示するパラメータ設定画面の一実施例を示す概略図である。
【図３】画面切り替え操作に応じた制御処理の一実施例を示したフローチャートである。
【符号の説明】
【００３３】
１…ＣＰＵ、２…ＲＯＭ、３…ＲＡＭ、４…検出回路、４Ａ…操作子、５…表示回路、５Ａ…表示器、６…通信インタフェース、７…音声インタフェース、６Ａ（７Ａ）…外部機器、８…記憶装置、１Ｄ…通信バス（データ及びアドレスバス）、Ｍ…パラメータ情報以外の他の情報表示、Ｈ…パラメータ情報表示、Ｃ（Ｄ）…パネル操作子、Ｔ…タブ
【図１】
2010233005.tif 000003
【図２】
2010233005.tif 000004
【図３】
2010233005.tif 000005